(57)【特許請求の範囲】
【請求項１】
原稿を読み取る原稿読取部と、
記録媒体に印刷すべき警告データを記憶した記憶部と、
前記原稿読取部の読み取りデータ及び前記警告データに基づいてマスタを穿孔製版する製版部と、
前記原稿読取部による原稿読み取り動作の開始及び停止を指示するためにユーザが操作する操作部と、
前記操作部からの指示に応じて、前記原稿読取部及び前記製版部の駆動を制御する制御部と、を備え、
前記制御部は、前記操作部からの指示に応じて前記原稿読取部による前記原稿読み取り動作を開始した後に、前記操作部からの指示に応じて前記原稿読取部による前記原稿読み取り動作を停止するとき、前記記憶部から前記警告データを読み出し、この読み出された前記警告データに基づいて前記マスタの穿孔製版を行うことを特徴とする孔版印刷装置。
【請求項２】
前記警告データは、前記制御部が、前記操作部からの指示に応じて前記原稿読取部による前記原稿読み取り動作を開始した後に、前記操作部からの指示に応じて前記原稿読取部による前記原稿読み取り動作を停止したことを示す文字データ又は記号データであることを特徴とする請求項１に記載の孔版印刷装置。
【請求項３】
前記原稿のサイズを検知する原稿サイズ検知部と、前記原稿読み取り動作が開始されてから前記原稿読み取り動作が停止されるまでの前記原稿読取部と前記原稿の相対的な移動距離を検知する原稿読取距離検知部とを更に備えると共に、
前記記憶部には、前記警告データに基づく前記マスタの穿孔製版を行うか否かについての閾値を記憶し、
前記制御部は、前記操作部からの指示に応じて前記原稿読取部による前記原稿読み取り動作を開始した後に、前記操作部からの指示に応じて前記原稿読取部による前記原稿読み取り動作を停止するとき、前記原稿サイズ検知部により検知された前記原稿のサイズに対する前記原稿読取距離検知部により検知された前記原稿の読取距離の比が、前記記憶部に記憶された前記閾値に達したか否かを判定し、前記閾値に達したと判定したときには、前記警告データに基づく前記マスタの穿孔製版を行わず、前記原稿読取部の読み取りデータに基づく前記マスタの穿孔製版を行って、前記記録媒体に対する印刷動作を実行することを特徴とする請求項１及び請求項２のいずれか１項に記載の孔版印刷装置。
【請求項４】
前記操作部に、前記閾値を多段階又は無段階に変更するためにユーザが操作する閾値変更操作部を備えたことを特徴とする請求項３に記載の孔版印刷装置。
【請求項５】
前記制御部は、前記操作部からの指示に応じて前記原稿読取部による前記原稿読み取り動作を開始した後に、前記操作部からの指示に応じて前記原稿読取部による前記原稿読み取り動作を停止するとき、前記原稿サイズ検知部により検知された前記原稿のサイズに対する前記原稿読取距離検知部により検知された前記原稿の読取距離の比を算出し、算出された前記比の大きさに応じて、前記警告データに基づいて前記マスタに穿孔製版される文字又は記号のサイズを変更することを特徴とする請求項３及び請求項４のいずれか１項に記載の孔版印刷装置。
【請求項６】
前記操作部に、前記記憶部から読み出された前記警告データに基づく前記マスタの穿孔製版を行うか否かを選択するためにユーザが操作する警告印刷選択部を備えたことを特徴とする請求項１乃至請求項５のいずれか１項に記載の孔版印刷装置。
【請求項７】
前記制御部は、前記操作部からの指示に応じて前記原稿読取部による前記原稿読み取り動作を開始した後に、前記操作部からの指示に応じて前記原稿読取部による前記原稿読み取り動作を停止するとき、前記原稿読取部による前記原稿読み取り動作を即時停止すると共に、前記製版部については、前記原稿読取部による前記原稿読み取り動作が停止されるまでの前記読み取りデータ及び前記記憶部から読み出された前記警告データに基づいて前記マスタの穿孔製版を行うことを特徴とする請求項１乃至請求項６のいずれか１項に記載の孔版印刷装置。
【請求項８】
記録媒体に印刷すべき警告データを記憶部に記憶するステップと、
原稿読取部が原稿を読み取るステップと、
ユーザが操作部を操作して前記原稿読取部による原稿読み取り動作の開始を指示するステップと、
ユーザが前記操作部を操作して前記原稿読取部による前記原稿読み取り動作の停止を指示するステップと、
前記操作部からの指示に応じて前記原稿読取部による前記原稿読み取り動作を開始した後に、前記操作部からの指示に応じて前記原稿読取部による前記原稿読み取り動作を停止するとき、前記原稿読取部による前記原稿読み取り動作を停止して、前記記憶部から読み出された前記警告データに基づくマスタの穿孔製版を行うステップと、
を含むことを特徴とする孔版印刷方法。
【発明の詳細な説明】
【技術分野】
【０００１】
本発明は、孔版印刷装置及び孔版印刷方法に関する。
【背景技術】
【０００２】
孔版印刷装置は、原稿読取装置の読み取りデータ又は外部接続機器の受信データに基づいて穿孔製版されたマスタ（孔版原紙）を、内部にインキ供給手段を備えた多孔性の印刷ドラム（版胴）の外周面に巻装し、印刷ドラムの外周面に対して接離自在に設けられたプレスローラ等の押圧部材により印刷用紙等の記録媒体を印刷ドラムに押圧して印刷を行うようになっている。
【０００３】
即ち、孔版印刷装置は、記録媒体を押圧するときの押圧部材の押圧力（印圧）で、インキ供給手段から印刷ドラムの内周面に供給されたインキを、ドラム開孔部及びマスタ穿孔部を通して印刷ドラムの表面側に滲み出させ、この滲み出したインキを記録媒体に転移させることにより、記録媒体の表面に印刷を施す。
【０００４】
ところで、従来の原稿読み取りとマスタへの穿孔が並行して行われる孔版印刷装置は、原稿読取装置による原稿読み取り動作中に、例えばストップキーを操作する等の停止操作が行われた場合、原稿搬送装置による原稿の搬送とマスタへの穿孔については即時に停止するが、マスタを印刷ドラムへ巻装する処理については継続して行うようになっている。その理由は、停止操作が行われるまでの間に原稿が全て読み取られた場合には、所要の印刷物の出力が可能になるからである。所要の印刷物が出力されるか否かは、原稿読み取り動作中における停止操作のタイミングによる。
【０００５】
このように、従来の孔版印刷装置によると、同じく原稿読み取り動作中に停止操作が行われたとしても、停止操作が行われたタイミングによっては、所要の印刷物が出力される場合と出力されない場合を生じるので、ユーザは印刷終了後に所要の印刷物が出力されたか否かを、印刷物と原稿とを照らし合わせて確認する必要がある。
【０００６】
なお、原稿読取装置による原稿読み取り動作中に何らかの理由によって停止操作が行われた場合に、ユーザに対して警告を発する警告手段を備えた孔版印刷装置が従来知られている（例えば、特許文献１参照。）。本構成の孔版印刷装置は、警告により原稿読み取り動作を中断した理由をユーザに知らせることができるので、ユーザは、原稿読み取り動作をやり直す等の適切な対応を迅速に行うことができ、資源の無駄や印刷時間の無駄を省くことができる。
【発明の概要】
【発明が解決しようとする課題】
【０００７】
しかしながら、警告手段を備えた孔版印刷装置は、原稿読み取り動作を中断した理由をユーザに知らせることができるとしても、所要の印刷物が出力されたか否かについては印刷物と原稿とを照らし合わせて確認しなくてはならないので、その確認に長時間を要するばかりでなく、所要の印刷が施されていない印刷物を誤って配布するという問題を解消することができない。
【０００８】
本発明は、このような従来技術の課題を解決するためになされたものであり、所要の印刷物が出力されたか否かの確認を容易なものにすることを目的とする。
【課題を解決するための手段】
【０００９】
上記課題を解決するために、本発明の一態様は、原稿を読み取る原稿読取部と、記録媒体に印刷すべき警告データを記憶した記憶部と、前記原稿読取部の読み取りデータ及び前記警告データに基づいてマスタを穿孔製版する製版部と、前記原稿読取部による原稿読み取り動作の開始及び停止を指示するためにユーザが操作する操作部と、前記操作部からの指示に応じて、前記原稿読取部及び前記製版部の駆動を制御する制御部と、を備え、前記制御部は、前記操作部からの指示に応じて前記原稿読取部による前記原稿読み取り動作を開始した後に、前記操作部からの指示に応じて前記原稿読取部による前記原稿読み取り動作を停止するとき、前記記憶部から前記警告データを読み出し、この読み出された前記警告データに基づいて前記マスタの穿孔製版を行うことを特徴とする。
【発明の効果】
【００１０】
本発明によれば、所要の印刷物が出力されたか否かの確認を容易なものにできる。
【図面の簡単な説明】
【００１１】
【図１】本発明の実施形態に係る孔版印刷装置の構成図である。
【図２】図１の孔版印刷装置に備えられる製版部の構成図である。
【図３】図１の孔版印刷装置に備えられる操作部の要部拡大図である。
【図４】図１の孔版印刷装置の制御ブロック図である。
【図５】本発明の実施形態に係る孔版印刷装置の原稿搬送処理の手順を示すフローチャートである。
【図６】本発明の実施形態に係る孔版印刷装置のマスタへの書き込み処理の手順を示すフローチャートである。
【図７】原稿読取データに対応する画像のみが印刷された印刷物と、原稿読取データに対応する画像及び警告データに対応する画像が印刷された印刷物とを対比して示す図である。
【発明を実施するための形態】
【００１２】
以下、本発明に係る孔版印刷装置及び孔版印刷方法の実施形態について、図面を参照しながら説明する。
【００１３】
図１に示すように、本実施形態に係る孔版印刷装置２は、原稿読取部４と、印刷ドラム６と、製版装置としての製版部８と、給紙手段を備えた給紙部１０と、印刷ドラム６に対して図示しない接離手段により接離制御される押圧手段としてのプレスローラ１２と、印刷ドラム６の排紙側近傍に配置され排紙部を構成する排紙爪１４、排紙搬送手段１６及び排紙トレイ１８と、排版手段を備えた排版部２０等を有している。
【００１４】
印刷ドラム６は、その外周部にステンレススチール薄板等の金属薄板を円筒状に丸めた版胴（図示省略）を有しており、該版胴の外周面には、該版胴の外周面に巻装されるマスタの先端部を挟持するための開閉自在なクランパ２２が設けられている。
【００１５】
印刷ドラム６の版胴には、直径が０．１〜０．５ｍｍ程度の微細な貫通孔が多数形成されており、供給されたインキを外表面へ浸出させることができるようになっている。印刷ドラム６は、インキ供給パイプを兼ねる支軸２４に回転自在に支持されており、内部にはインキ供給部２６が設けられている。
【００１６】
インキ供給部２６は、印刷ドラム６の内周面にインキを供給するインキローラ２８と、インキローラ２８に近接して配置され、インキローラ２８との間にインキ溜まり３２を形成するドクターローラ３０を有している。支軸２４から図示しない分配管を介してインキ溜まり３２に供給されたインキは、ドクターローラ３０でインキ層の厚みを規制されてインキローラ２８に供給され、プレスローラ１２が記録媒体である用紙Ｐを押圧したときにインキローラ２８が印刷ドラム６の版胴内周面に接触してインキが供給される。
【００１７】
給紙部１０は、用紙Ｐが積載される給紙台３４と、積載された用紙Ｐをその最上部のものから順に一枚ずつ分離して給送する給紙コロ３６と、給送された用紙Ｐを一旦停止させて斜めずれ等を矯正した後、所定のタイミングで印刷ドラム６の版胴へ送るレジストローラ対３８を有している。給紙台３４には、使用する用紙Ｐのサイズを検知する用紙サイズ検知部としての用紙サイズ検知センサ３５が配設されている。
【００１８】
排紙搬送部１６は、駆動プーリ４０と従動プーリ４２により駆動される搬送ベルト４４と、吸引ファン４６を有しており、排紙爪１４により印刷ドラム６の版胴の外周面から分離された印刷済みの用紙Ｐの非画像面（裏面）を吸着して搬送するようになっている。
【００１９】
排版部２０は、剥離ローラ４８、５０、排版ローラ５２、５４、これらの各ローラ間に掛け渡された搬送ベルト５６、５８、印刷ドラム６の版胴外周面より剥離されたマスタが収容される排版ボックス６０、該排版ボックス６０内のマスタを圧縮する圧縮板６２を有している。
【００２０】
原稿読取部４は、装置本体３に装着された製版部８の上方に配置された原稿受け台７１上から移送される原稿７２又はコンタクトガラス８２上に載置された原稿７２の表面の画像を読み取る構成を有する。
【００２１】
即ち、原稿読取部４は、複数枚の原稿７２を積載する原稿受け台７１と、原稿７２を載置するコンタクトガラス８２と、原稿７２を１枚ずつ分離して搬送する原稿分離ローラ８３と、分離された原稿７２を搬送・排出する原稿搬送ローラ群８４と、搬送されてきた原稿７２の画像の白基準補正用の白基準板８５と、読み取られた原稿７２を積載する原稿排紙台８７とを具備している。
【００２２】
また、原稿読取部４は、これに加えて、コンタクトガラス８２、８６を除く上記各部材を支持し、コンタクトガラス８２、８６に対して接離・開閉自在に設けられた圧板８８と、原稿７２に描出された画像等を照明しつつ走査して読み取るための反射ミラー８９、９０ａ、９０ｂ及び蛍光灯９１と、読み取られた画像等の反射光を集束するレンズ９２と、集束された画像の反射光を処理する画像センサとしてのＣＣＤ（電荷結合素子）９３等とを具備している。
【００２３】
上記の構成中、原稿受け台７１、原稿分離ローラ８３、原稿搬送ローラ群８４、白基準板８５及び原稿排紙台８７によって、コンタクトガラス８６上に原稿７２を１枚ずつ自動的に給送する自動原稿搬送装置９４が構成されている。また、コンタクトガラス８２、各反射ミラー８９、９０ａ、９０ｂ、蛍光灯９１、レンズ９２及びＣＣＤ９３によって、原稿７２の画像をコンタクトガラス８２上で読み取る原稿読取部４が構成されている。
【００２４】
原稿分離ローラ８３及び原稿搬送ローラ群８４は、ギヤやタイミングベルト・プーリ等の駆動力伝達手段を介して原稿搬送モータ８１に連結されていて、原稿搬送モータ８１によって回転駆動される。原稿搬送モータ８１としては、公知に属する任意の電動モータを用いることができるが、高精度の回転制御が可能で、指導及び停止に対して優れたレスポンスを有することから、ステッピングモータが好適に用いられる。
【００２５】
原稿搬送モータ８１としてステッピングモータを用いた場合には、ステッピングモータの駆動制御部であるステッピングモータドライバから出力される基本ステップ角のパルス数とその周波数とから、原稿の先端がＣＣＤ９３上に達してからのＣＣＤ９３による原稿読取距離を検知できる。本明細書では、原稿の先端がＣＣＤ９３上に達してからのＣＣＤ９３による原稿読取距離を検知する手段を総称して「原稿読取距離検知部」という。
【００２６】
ＣＣＤ９３は、受光した反射光を光電変換する。ＣＣＤ９３で得られたアナログの画像信号は、装置本体３内に備えられた図示しないＡ／Ｄ変換器に入力され、同じく装置本体３内に備えられた図示しないＣＣＤ画像処理部で画像処理される。なお、画像読取手段としては、ＣＣＤ９３に代えて、ＣＩＳ（密着イメージセンサ）を使用する方式もある。
【００２７】
原稿受け台７１には、原稿７２のサイズを検知する原稿サイズ検知部としての複数の原稿サイズ検知センサ７３が配設されている。原稿サイズ検知センサ７３としては、例えば反射型フォトセンサを用いることができる。
【００２８】
次に、孔版印刷装置２の印刷動作について簡単に説明する。
【００２９】
原稿読取部４の読み取りデータに基づいて製版部８によりマスタ１００が穿孔製版されると、この製版済みのマスタ１００は、その先端部が印刷ドラム６のクランパ２２に挟持され、印刷ドラム６の回転に伴って印刷ドラム６の外周面に巻装される。一方、用紙Ｐは、印刷ドラム６に巻装された製版済みのマスタ１００における穿孔部分の先端と、用紙Ｐの搬送方向における所定の位置とが一致するタイミングで、レジストローラ対３８により印刷ドラム６の外周面に送られる。
【００３０】
用紙Ｐは、このタイミングに合わせて印刷ドラム６側へ移動するプレスローラ１２によって印刷ドラム６に押圧される。インキローラ２８によって印刷ドラム６の版胴内周面に供給されたインキは、版胴に開設された微細貫通孔を通って版胴の外周面側に滲み出し、更にはマスタ１００の穿孔部から滲み出して、用紙Ｐに転移する。これにより用紙Ｐ上にインキ画像が形成される。
【００３１】
インキ画像を転写された用紙Ｐ（印刷物）は、排紙爪１４により印刷ドラム６から剥離され、排紙搬送手段１６により図示しない排紙トレイ１８へ向けて搬送される。所定枚数の印刷が終了すると、排版部２０により使用済みのマスタ１００が印刷ドラム６から剥離される。
【００３２】
本実施形態では、図２に示すように、マスタ１００の製版は、装置本体３に対して着脱自在に構成された製版部８で行われる。マスタロール１００Ａに巻かれたマスタ１００が無くなった場合には、製版部８を装置本体３から抜き出してマスタロール１００を新しいものと交換した後、製版部８を装置本体３に装着する。
【００３３】
製版部８は、図１及び図２に示すように、ユニットフレーム１３０を有している。ユニットフレーム１３０は、ガイド部材１３１を介して装置本体３側に設けられたレール部材１２９に凹凸係合することにより、装置本体３に対して着脱自在に設けられている。
【００３４】
製版ユニット８は、図２に示すように、芯管１２４を介してマスタロール１００Ａを回動自在に支持するロール支持部材１２７と、新しいマスタロール１００Ａを交換した場合にその先端部のマスタ１００を繰り出し可能にセットするためのマスタセットローラ１０２及びセットプレート１０４と、原稿読取部４の読み取りデータに基づいて選択的に発熱する多数の発熱素子を備え製版手段としてのサーマルヘッド１０６とを備えている。マスタロール１００Ａは、マスタ搬送モータ１０５により回転駆動される。マスタ搬送モータ１０５としてもステッピングモータを用いることができる。
【００３５】
また、本実施形態に係る製版ユニット８は、サーマルヘッド１０６にマスタ１００を押圧して回転搬送するプラテンローラ１０８と、プラテンローラ１０８の下流側に配置されたテンションローラ対１１０と、マスタ１００を１版分の長さに切断するカッタ１１２と、製版済みのマスタ１００を印刷ドラム６に給版する給版ローラ対１１４と、マスタ１００の先端を検知する先端検知センサ１２２と、製版済みのマスタ１００に撓みを形成し、この撓み部分を一時的に収納する撓みボックス１１６とを有している。
【００３６】
撓みボックス１１６の出入り口には、マスタ１００を反転ローラ対１１４側又は撓みボックス１１６内に収容する側に移動するガイド板１１６ａが設けられている。また、撓みボックス１１６内には、撓みボックス１１６内への製版済みのマスタ１００のスムーズな収納をするための吸引ファン１２８が設けられている。
【００３７】
次に、図３を参照して、実施形態に係る孔版印刷装置２に備えられる操作部１４０の構成について説明する。操作部１４０は、操作パネルをもって構成することができる。操作部１４０は、原稿読取部４の上面の一部に配置される。
【００３８】
図３に示すように、本実施形態に係る操作部１４０には、製版スタートキー１４１、印刷スタートキー１４２、テンキー１４３、試し刷りキー１４４、エンターキー１４５、モードクリアキー１４６、クリア／ストップキー１４７、タッチパネル１４８、表示器１４９及び印刷速度設定キー１５０が配設されている。
【００３９】
製版スタートキー１４１は、原稿の読み取りから排版、製版、給版、給紙、版付け印刷、排紙に至るまでの一連のステップを起動する機能を有する。これに対して、クリア／ストップキー１５０は、製版スタートキー１４１を押下操作することにより開始された原稿読取部４による原稿読み取り動作を停止する機能を有する。テンキー１４３は、印刷枚数等を入力する機能を有する。印刷スタートキー１４２は、テンキー１４３で入力された印刷枚数分の印刷動作の起動等を行う機能を有する。試し刷りキー１４４は、試し刷り印刷動作を起動する機能を有する。
【００４０】
エンターキー１４５は、各種設定時に数値等を確定する機能を有する。モードクリアキー１４６は、各種モード設定状態を消去する機能を有する。印刷速度設定キー１５０は、印刷速度（例えば６０枚／分〜１２０枚／分）を設定する印刷速度設定手段としての機能を有する。なお、本実施形態に係る印刷速度設定キー１５０は、図示するように速度アップキー及び速度ダウンキーを備えていて、それらの近傍には設定された印刷速度を点灯表示するＬＥＤからなる印刷速度表示器が配置されている。
【００４１】
操作部１４０に備えられた上述の各キー１４１〜１５０は、押下操作することにより、各キーに割り振られた固有の機能を発揮することができる。
【００４２】
タッチパネル１４８は、液晶表示装置等の表示装置の表示画面上に設置された入力装置であり、表示装置の表示画面上に表示された操作釦類に対応する部分をタッチ操作することによって所要の入力操作を行うものである。図３の例では、タッチパネル１４８に閾値変更操作部１５１と警告印刷選択部１５２と警告サイズ選択部１５３が表示されている。なお、閾値変更操作部１５１、警告印刷選択部１５２及び警告サイズ選択部１５３は、タッチパネル１４８にプルダウン方式で表示することもできる。
【００４３】
閾値変更操作部１５１は、閾値を多段階又は無段階に変更するためにユーザが操作するものである。閾値を多段階又は無段階に変更できるようにすると、閾値の設定を適切に行うことが可能になるので、正常な画像が印刷されていない印刷物が配布されるという不都合を確実に回避できる。
【００４４】
警告印刷選択部１５２は、警告データに基づくマスタ１００の穿孔製版を行うか否かを変更するためにユーザが操作するものである。警告データに基づくマスタ１００の穿孔製版を行うか否かの選択をユーザが行えるようにすると、多様な印刷が可能になるので、孔版印刷装置の利用を便利なものにすることができる。
【００４５】
警告サイズ選択部１５３は、用紙Ｐに印刷される警告の文字サイズを選択するためにユーザが操作するものである。用紙Ｐに印刷される警告の文字サイズを選択できるようにすると、スペース的な余裕が少ない場合にも、用紙Ｐに警告を確実に行うことができる。
【００４６】
本実施形態に係る孔版印刷装置２は、図４に示す制御部１３５によって各部の動作が制御される。
【００４７】
図４に示すように、制御部（メイン制御装置）１３５は、ＣＰＵ１３６、ＲＯＭ１３７、ＲＡＭ１３８を備えたマイクロコンピュータをもって構成されている。なお、この制御部１３５には、図示しないＩ／Ｏインターフェース及びハードディスクドライブ（ＨＤＤ）も備えられる。
【００４８】
ＣＰＵ１３６は演算手段であり、孔版印刷装置２全体の動作を制御する。
【００４９】
ＲＯＭ１３７には、読み出し専用の不揮発性記憶媒体であり、ファームウェア等のプログラムのほか、用紙Ｐに印刷する警告用の文字や記号の種類及びサイズ等に関する警告データ、並びに、警告データに基づくマスタ１００の穿孔製版を行うか否かの判定基準となる閾値が記憶される。警告用の文字としては、「正常に読み取られた画像ではない」などの文字列を挙げることができる。また、警告用の記号としては、「×」印などを挙げることができる。
【００５０】
閾値は、用紙Ｐの印刷方向に関する最大印刷範囲に相当する値であり、原稿サイズに対するＣＣＤ９３による原稿読取距離の比で記憶される。ＣＣＤ９３による原稿読取距離が閾値に達した後に原稿読み取り動作の中止指令がなされた場合には、原稿が全て読み取られたと判断できるので、警告データに基づくマスタ１００の穿孔製版は行わず、原稿読取データに基づくマスタ１００の穿孔製版を行う。これに対して、ＣＣＤ９３による原稿読取距離が閾値に達する前に原稿読み取り動作の中止指令がなされた場合には、原稿が全て読み取られなかったと判断できるので、それまでに読み取られた原稿読取データに基づくマスタ１００の穿孔製版と、警告データに基づくマスタ１００の穿孔製版とを行う。
【００５１】
また、ＲＯＭ１３７には、原稿サイズ検知センサ７３によって検知された原稿サイズに対する原稿読取距離検知部によって検知された原稿読取距離との比、及び、閾値に対する前記比の大小関係を算出するための計算式等が記憶される。
【００５２】
ＲＡＭ１３８は、情報の高速な読み書きが可能な揮発性の記憶媒体であり、ＣＰＵ１３６が情報を処理する際の作業領域として用いられる。
【００５３】
また、図示しないＨＤＤは、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納される。
【００５４】
ＣＰＵ１３６には、用紙サイズ検知センサ３５、原稿サイズ検知センサ７１、原稿搬送モータ８１、マスタ搬送モータ１０５、操作部（操作パネル）１４０及びＣＣＤ９３にて読み取られた原稿データを記憶する画像メモリ９８が接続される。また、ＣＰＵ１３６には、画像処理部９６及びＡ／Ｄ変換器９５を介してＣＣＤ９３が接続されると共に、サーマルヘッド画像処理部及びサーマルヘッド駆動回路を介してサーマルヘッド１０６が接続される。
【００５５】
制御部１３５は、ＣＰＵ１３６に接続された上記各部の動作を制御し、操作部１４０を操作することによって入力されるユーザからの指示に応じて、孔版印刷装置２に所要の機能を実行させる。本実施形態に係る孔版印刷装置２においては、ユーザによりストップキー１４７が押下操作されたとき、警告データに基づく穿孔製版をマスタ１００に対して行う。
【００５６】
以下、本実施形態に係る孔版印刷装置２の動作を、図５乃至図７を参照して説明する。
【００５７】
図５は、原稿データに基づいてマスタ１００の穿孔製版を実行する際の孔版印刷装置２の動作を示すフローチャートである。この図に示すように、ユーザがスタートキー１４１を押下操作し、自動原稿搬送装置９４をスタートすると、ＣＰＵ１３６は、原稿サイズ検知センサ７３によって原稿７２が検出されているか否かを判定する（ステップＳ１）。ステップＳ１で原稿７２が検出されないと判定した場合、ＣＰＵ１３６は、そのまま処理を終了する。
【００５８】
ステップＳ１で原稿７２が検出されたと判定した場合、ＣＰＵ１３６は、自動原稿搬送装置９４による原稿７２の搬送を開始する（ステップＳ２）。自動原稿搬送装置９４による原稿７２の搬送を開始した後、ＣＰＵ１３６は、クリア／ストップキー１４７が押下操作されたか否かを判定する（ステップＳ３）。ステップＳ３で、クリア／ストップキー１４７は押下操作されていないと判定（Ｎｏ）した場合、ＣＰＵ１３６は、原稿読取部４による原稿読み取り動作を実行する（ステップＳ４）。
【００５９】
次いで、ＣＰＵ１３６は、原稿読取部４の読み取りデータに基づいてサーマルヘッド１０６の駆動を制御し、マスタ１００に原稿読取部４の読み取りデータに対応する画像を書き込む（ステップＳ５）。これにより、マスタ１００が穿孔製版される。しかる後に、ＣＰＵ１３６は、原稿サイズ検知センサ７３によって検知された原稿長分の原稿７２の搬送が完了したか否かを判定する（ステップＳ６）。なお、原稿７２の搬送が完了したか否かの判定は、図示しないステッピングモータドライバから出力される基本ステップ角のパルス数とその周波数とからＣＰＵ１３６が算出できる。
【００６０】
ステップＳ６で原稿長分の原稿７２の搬送が完了したと判定した場合（Ｙｅｓ）、ＣＰＵ１３６は、製版部８に原稿７２の読み取りが終了したことを通知した後（ステップＳ７）、ステップＳ８に移行して原稿７２の搬送を停止し（ステップＳ８）、処理を終了する。
【００６１】
ステップＳ３で、クリア／ストップキー１４７はユーザにより押下操作されたと判定した場合（Ｙｅｓ）、ＣＰＵ１３６は、原稿読取部４による原稿読み取り処理を即時停止する（ステップＳ９）。また、ＣＰＵ１３６は、原稿搬送ローラ群８４の駆動を停止して、原稿７２の搬送を停止する（ステップＳ１０）。しかる後に、ＣＰＵ１３６は、製版部８に原稿７２の読み取りが途中で終了したことを通知して（ステップＳ１１）、処理を終了する。
【００６２】
ステップＳ５における書き込み処理は、図６に示す手順で行われる。即ち、ＣＰＵ１３６は、ステップＳ１２で、製版部８に原稿７２の読み取りが途中で終了したことを通知したか否かを判定する。そして、ステップＳ１２で製版部８に原稿７２の読み取りが途中で終了したことを通知していないと判定した場合（無）、ＣＰＵ１３６は、ステップＳ１３に移行して、マスタ１００に対する原稿データの書き込み処理を行う。
【００６３】
次に、ＣＰＵ１３６は、ステップＳ１４に移行して、原稿読取部４から原稿読み取り処理の終了通知を受けたか否かを判定する。ステップＳ１４で原稿読取部４から原稿読み取り処理の終了通知を受けたと判定した場合（有）、ＣＰＵ１３６は処理を終了する。一方、ステップＳ１４で原稿読取部４から原稿読み取り処理の終了通知を受けていないと判定した場合（無）は、ステップＳ１２に戻る。
【００６４】
ステップＳ１２で製版部８に原稿７２の読み取りが途中で終了したことを通知したと判定した場合（有）、ＣＰＵ１３６は、ステップＳ１５に移行して、マスタ１００に対する警告データの書き込み処理を行い、しかる後に処理を終了する。
【００６５】
従って、ステップＳ１２で製版部８に原稿７２の読み取りが途中で終了したことを通知していないと判定した場合、即ち、操作部１４０からの指示に応じて原稿読取部４による原稿読み取り動作を開始した後に、操作部１４０からの指示に応じて原稿読取部４による原稿読み取り動作を停止しない場合には、図７（ａ）に示すように、用紙Ｐに原稿読取部４の読み取りデータに対応する画像Ａのみが印刷される。
【００６６】
これに対して、ステップＳ１２で製版部８に原稿７２の読み取りが途中で終了したことを通知したと判定した場合、即ち、操作部１４０からの指示に応じて原稿読取部４による原稿読み取り動作を開始した後に、操作部１４０からの指示に応じて原稿読取部４による原稿読み取り動作を停止した場合には、図７（ｂ）に示すように、用紙Ｐに原稿読取部４の読み取りデータに対応する画像Ａと、ＲＯＭ１３７から読み出された警告データ（図６（ｂ）の例では、「正常に読み取られた画像ではない」の文字列）Ｂとが印刷される。
【００６７】
これにより、ユーザは、印刷物が正常に読み取られた画像が印刷されたものでないことを瞬間的に理解できるので、印刷物が所望のものであるのかそうでないかの判断を迅速に行えると共に、正常な画像が印刷されていない印刷物が配布されるという不都合を確実に回避できる。また、読み取りデータが正常に読み取られなかった場合は、読み取られたデータに基づいて穿孔製版を行う１版分のマスタ１００の残余の部分に警告データに基づく穿孔製版を行うので、マスタ１００の有効利用が図れ、マスタ１００の無駄を削減することができる。
【００６８】
なお、制御部１３５は、操作部１４０からの指示に応じて原稿読取部４よる原稿読み取り動作を開始した後に、操作部１４０からの指示に応じて原稿読取部４よる前記原稿読み取り動作を停止するとき、原稿サイズ検知センサ３５により検知された原稿７２のサイズに対する原稿読取距離検知部により検知された原稿読取距離の比を算出し、算出された比の大きさに応じて、警告データに基づいてマスタ１００に穿孔製版される文字又は記号のサイズを変更することができる。
【００６９】
即ち、原稿７２のサイズに対する原稿読取距離の比が小さい場合には、スペース的な余裕が大きいので、大きな文字等で警告データに基づくマスタ１００の穿孔製版を行う。反対に、原稿７２のサイズに対する原稿読取距離の比が大きい場合には、スペース的な余裕が少ないので、大きな文字等で警告データに基づくマスタ１００の穿孔製版を行う。このようにすることにより、スペース的な余裕が少ない場合にも、警告データに基づくマスタ１００の穿孔製版を確実に行うことができる。
【符号の説明】
【００７０】
２    孔版印刷装置
３    装置本体
４    原稿読取部
６    印刷ドラム（版胴）
８    製版部（製版ユニット）
１０    給紙部
１２    プレスローラ
２０    排版部
３５    用紙サイズ検知センサ
７２    原稿
７３    原稿サイズ検知センサ
８１    原稿搬送モータ
８５    白基準板
９３    ＣＣＤ
９４    自動原稿搬送装置
９６    画像処理部
９８    画像メモリ
１００    マスタ
１００Ａ    マスタロール
１０５    マスタ搬送モータ
１０６    サーマルヘッド
１０８    プラテンローラ
１１８    マスタセンサ
１２７    ロール支持部材
１３５    制御部
１３６    ＣＰＵ
１３７    ＲＯＭ（記憶部）
１３８    ＲＡＭ（記憶部）
１４０    操作部（操作パネル）
１４１    スタートキー
１４７    クリア／ストップキー
１５１    閾値変更操作部
１５２    警告印刷選択部
１５３    警告サイズ選択部
【先行技術文献】
【特許文献】
【００７１】
【特許文献１】特開平０９−１９０１１５号公報
【図１】
0006648529.tif 000002
【図２】
0006648529.tif 000003
【図３】
0006648529.tif 000004
【図４】
0006648529.tif 000005
【図５】
0006648529.tif 000006
【図６】
0006648529.tif 000007
【図７】
0006648529.tif 000008